(57)【要約】【課題】構成員の福祉を向上させることができる福祉型ディスカウントモールシステム及びその運営方法を提供する。【解決手段】  福祉型ディスカウントモールシステムであって、供給者の供給商品情報と顧客団体の顧客団体情報を受信するウェブサーバと、前記供給商品情報及び前記顧客団体情報を保存するＤＢサーバと、福祉提供テンプレートを生成するテンプレート生成サーバとを含むことによって、企業が割引価格で供給商品を提供するという事実を一般公衆に知られなくてもよいので、企業のブランド価値を保護することができ、顧客団体の構成員は他の一般需要者と異なり、割引価格で供給商品を提供されることができるようになる。【選択図】図１
2021523453.tif 000002
【特許請求の範囲】
【請求項１】
供給者の供給商品情報と顧客団体の顧客団体情報を受信するウェブサーバと、
前記供給商品情報及び前記顧客団体情報を保存するＤＢサーバと、
福祉提供テンプレートを生成するテンプレート生成サーバとを含み、
前記テンプレート生成サーバは、
前記供給商品情報に含まれた供給商品と割引率を確認し、
前記顧客団体情報で前記供給商品を供給する少なくとも１つの顧客団体を決定し、及び
前記供給商品、前記割引率、並びに前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成する、福祉型ディスカウントモールシステム。
【請求項２】
前記ウェブサーバは、ウェブページを介して供給者から供給商品情報の入力を受信し、顧客団体から顧客団体情報の入力を受信する、請求項１に記載の福祉型ディスカウントモールシステム。
【請求項３】
前記ウェブサーバは、供給者の電子装置から供給商品情報を受信し、顧客団体の顧客団体ウェブサーバから顧客団体情報を受信する、請求項２に記載の福祉型ディスカウントモールシステム。
【請求項４】
前記福祉型ディスカウントモールシステムは、発送サーバをさらに含み、
前記発送サーバは、前記顧客団体ウェブサーバ又は前記顧客団体の構成員の電子装置に前記福祉提供テンプレートを送信する、請求項３に記載の福祉型ディスカウントモールシステム。
【請求項５】
前記発送サーバは、前記顧客団体ウェブサーバが提供するウェブページに前記福祉提供テンプレートがお知らせとして登録されるように、前記福祉提供テンプレートを前記顧客団体ウェブサーバに送信する、請求項４に記載の福祉型ディスカウントモールシステム。
【請求項６】
前記顧客団体ウェブサーバが提供するウェブページは、前記顧客団体の構成員のみがアクセスすることができるオンライン閉鎖モールである、請求項５に記載の福祉型ディスカウントモールシステム。
【請求項７】
前記発送サーバは、メッセージプログラム、メールプログラム、及び対話型プログラムの少なくとも１つを介して、前記顧客団体の構成員の電子装置に前記福祉提供テンプレートを送信する、請求項４に記載の福祉型ディスカウントモールシステム。
【請求項８】
前記供給者は、製造者、流通者、サービス提供者、コンテンツ提供者、宿泊業者を含む、請求項１に記載の福祉型ディスカウントモールシステム。
【請求項９】
前記顧客団体は、企業、機関、市民団体、協会、同門会、同好会、及び宗教団体のいずれかである、請求項１に記載の福祉型ディスカウントモールシステム。
【請求項１０】
前記供給商品情報は、供給商品の種類、元の価格、割引価格、配送料、供給者のメーカー名、供給者の国名と住所地、供給者の事業者情報の少なくとも１つを含む、請求項１に記載の福祉型ディスカウントモールシステム。
【請求項１１】
前記顧客団体情報は、福祉型ディスカウントモールシステムに登録された複数の顧客団体の名称、説明、種類、位置、構成員の人員数、性別、年齢、及び所得水準を含む、請求項１に記載の福祉型ディスカウントモールシステム。
【請求項１２】
前記福祉型ディスカウントモールシステムは、決済管理サーバをさらに含み、
前記決済管理サーバは、前記顧客団体又は前記顧客団体の構成員から購入代金の情報を受信する場合、清算金を演算し、
前記演算した清算金を前記供給者のウェブサーバに送信する、請求項１に記載の福祉型ディスカウントモールシステム。
【請求項１３】
前記ＤＢサーバは、供給商品管理サーバ及び顧客団体管理サーバを含む、請求項１に記載の福祉型ディスカウントモールシステム。
【請求項１４】
前記テンプレート生成サーバは、顧客団体の種類、構成員の人員数、性別、年齢、所得水準、及び位置に基づいて、前記供給商品を供給する少なくとも１つの顧客団体を決定する、請求項１に記載の福祉型ディスカウントモールシステム。
【請求項１５】
前記テンプレート生成サーバは、前記ＤＢサーバに蓄積された複数の顧客団体と構成員の購入履歴に基づいて、前記供給商品を供給する少なくとも１つの顧客団体を決定する、請求項１に記載の福祉型ディスカウントモールシステム。
【請求項１６】
前記テンプレート生成サーバは、
前記福祉提供テンプレートを介して前記供給商品を購入した複数のユーザーの購入履歴をデータベース化して前記ＤＢサーバに保存し、
前記購入履歴に基づいて、前記複数の顧客団体に適したそれぞれの福祉提供テンプレートを生成する、請求項１に記載の福祉型ディスカウントモールシステム。
【請求項１７】
前記テンプレート生成サーバは、
前記供給商品情報及び前記顧客団体情報に基づいて、前記供給者に適した顧客団体リストを生成し、
前記ウェブサーバが提供するウェブページを介して前記顧客団体リストを前記供給者に提供し、及び
前記ウェブページを介して前記顧客団体リストに含まれた少なくとも１つの顧客団体を選択する供給者の入力を受信する場合、前記供給者が選択した少なくとも１つの顧客団体を前記供給商品に適した少なくとも１つの顧客団体として決定する、請求項１に記載の福祉型ディスカウントモールシステム。
【請求項１８】
前記テンプレート生成サーバは、
各所得水準に適した割引率を予め決定して割引率テーブルに保存し、
前記決定された少なくとも１つの顧客団体の構成員の所得水準を確認し、
前記割引率テーブルを用いて、前記確認した所得水準にマッチングされる割引率を決定し、
前記決定された割引率に応じて演算された供給商品の価格を前記福祉提供テンプレートに含ませる、請求項１に記載の福祉型ディスカウントモールシステム。
【請求項１９】
前記テンプレート生成サーバは、
前記顧客団体情報に含まれた複数の顧客団体の位置を確認し、
基準距離以内に隣接した顧客団体が存在する場合、前記隣接した顧客団体のいずれかの顧客団体のみを前記供給商品を供給する顧客団体として決定する、請求項１に記載の福祉型ディスカウントモールシステム。
【請求項２０】
前記テンプレート生成サーバは、
前記顧客団体情報に含まれた複数の顧客団体にそれぞれ属する構成員を確認し、
構成員の少なくとも一部が互いに重複する顧客団体が存在する場合、前記重複する顧客団体のいずれかの顧客団体のみを前記供給商品を供給する顧客団体として決定する、請求項１に記載の福祉型ディスカウントモールシステム。
【請求項２１】
供給商品情報と顧客団体情報を受信するウェブサーバと、前記供給商品情報及び前記顧客団体情報を保存するＤＢサーバと、福祉提供テンプレートを生成するテンプレート生成サーバと、を含む福祉型ディスカウントモールシステムの運営方法において、
前記供給商品情報に含まれた供給商品と割引率を確認するステップと、
前記顧客団体情報で前記供給商品を供給する少なくとも１つの顧客団体を決定するステップと、
前記供給商品、前記割引率、及び前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成するステップと、を含む、福祉型ディスカウントモールの運営方法。
【発明の詳細な説明】
【技術分野】
【０００１】
本発明は、福祉型ディスカウントモールシステム及びその運営方法に関し、特にシステムに登録された特定の供給者が割引された価格で提供する供給商品をシステムに登録された特定の顧客団体の構成員にイベントを通じて提供し、前記構成員には前記イベントの主催者が特定の顧客団体と認識されるように運営する福祉型ディスカウントモールシステム及びその運営方法に関する。
【背景技術】
【０００２】
最近になって、電子商取引（ＥＣ：Ｅｌｅｃｔｒｏｎｉｃ  ｃｏｍｍｅｒｃｅ）を介して、企業と消費者間で物品又はサービスの取引が行われている。しかしながら、過度な競争により、企業は在庫が増えており、これを解決するために、低価格（割引価格）で在庫を処理する場合が増えている。特に、百貨店で供給する商品とアウトレットで供給する商品との間にますます差異点がなくなるにつれて、企業のブランドの価値が下落するという問題点が発生している。
【０００３】
一方、企業又は特定規模以上の団体（例えば、軍人共済組合）は、それぞれのオンライン閉鎖モールを運営している。オンライン閉鎖モールとは、誰でもアクセスして利用することができる一般的なオンラインショッピングモールと異なり、特定の企業に関連する利用者だけが利用できる閉鎖的なオンライン福祉モール又はショッピングモールを意味する。一般に、オンライン閉鎖モールは、企業に関連する顧客や企業の内部構成員のみ限定的に利用したり、単純に企業の広報のためのウェブページに利用されており、オンライン閉鎖モールの利用者に様々な恵みを提供することができる福祉モール又はショッピングモールとしての役割を確かに行っていない。したがって、利用者が持つオンライン閉鎖モールに対する関心度や必要性はますます減少している。
【先行技術文献】
【特許文献】
【０００４】
【特許文献１】韓国公開特許公報第１０−２０１０−００８９７６０号（公開日２０１０．０８．１２）
【発明の概要】
【発明が解決しようとする課題】
【０００５】
本発明は、前記のような問題点を解決するために案出されたものであって、企業のブランド価値を保護するために割引された価格で供給するという事実を購入者に隠すことができ、内部のオンライン閉鎖モールを介して供給商品を割引された価格で内部の構成員に供給することによって、構成員の福祉を向上させることができる福祉型ディスカウントモールシステム及びその運営方法を提供することに目的がある。
【課題を解決するための手段】
【０００６】
本発明の様々な実施例によれば、福祉型ディスカウントモールシステムは、供給者の供給商品情報と顧客団体の顧客団体情報を受信するウェブサーバと、前記供給商品情報及び前記顧客団体情報を保存するＤＢサーバと、福祉提供テンプレートを生成するテンプレート生成サーバとを含み、前記テンプレート生成サーバは、前記供給商品情報に含まれた供給商品と割引率を確認し、前記顧客団体情報で前記供給商品を供給する少なくとも１つの顧客団体を決定し、及び前記供給商品、前記割引率、並びに前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成することができる。
【０００７】
本発明の様々な実施例によれば、供給商品情報と顧客団体情報を受信するウェブサーバと、前記供給商品情報及び前記顧客団体情報を保存するＤＢサーバと、福祉提供テンプレートを生成するテンプレート生成サーバとを含む福祉型ディスカウントモールの運営方法は、前記供給商品情報に含まれた供給商品と割引率を確認するステップと、前記顧客団体情報で前記供給商品を供給する少なくとも１つの顧客団体を決定するステップと、前記供給商品、前記割引率、及び前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成するステップとを含むことができる。
【発明の効果】
【０００８】
以上で説明したような本発明による福祉型ディスカウントモールシステムは、企業が割引された価格で供給商品を提供するという事実を一般公衆に知られなくてもよいので、企業のブランド価値を保護することができる。
【０００９】
また、顧客団体の構成員は、他の一般需要者と異なり、割引された価格で供給商品を提供されることができるので、構成員の福祉が向上できる。
【図面の簡単な説明】
【００１０】
【図１】本発明の一実施例による福祉型ディスカウントモールシステムを示すブロック図である。
【図２】本発明の一実施例による福祉型ディスカウントモールシステムを説明するためのフローチャートである。
【図３】本発明の一実施例による供給者に適した顧客団体リストを提供する方法を説明するためのフローチャートである。
【図４】本発明の一実施例による構成員の所得水準にマッチングされる割引率を決定するためのフローチャートである。
【図５】本発明の一実施例による顧客団体の位置に基づく供給商品を供給する顧客団体を決定するためのフローチャートである。
【図６】本発明の一実施例による構成員の一部が互いに重複する顧客団体のいずれかの顧客団体を選択するためのフローチャートである。
【発明を実施するための形態】
【００１１】
本発明の一様相にかかり、供給者の供給商品情報と顧客団体の顧客団体情報を受信するウェブサーバと、前記供給商品情報及び前記顧客団体情報を保存するＤＢサーバと、福祉提供テンプレートを生成するテンプレート生成サーバとを含み、前記テンプレート生成サーバは、前記供給商品情報に含まれた供給商品と割引率を確認し、前記顧客団体情報で前記供給商品を供給する少なくとも１つの顧客団体を決定し、及び前記供給商品、前記割引率、並びに前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成することを特徴とする福祉型ディスカウントモールシステムが提案される。
【００１２】
以下、本発明の様々な実施例を添付する図を参照として詳細に説明する。また、本発明の実施例を説明するにあたって、関連する公知機能又は構成に対する具体的な説明が本発明の要旨を不要にぼやかすことがあると判断される場合、その詳細な説明は省略する。さらに、後述する用語は、本発明の機能を考慮して定義された用語であって、これは、ユーザー、運用者の意図又は慣例等に応じて変わり得る。従って、その定義は、本明細書の全般にわたった内容に基づいて下されるべきである。
【００１３】
本発明による電子商取引中継システムの好ましい実施例について、添付する図を参照として説明すると次の通りである。しかし、本発明は以下で開示される実施例に限定されるわけではなく、互いに異なる様々な形態で具現化されることができ、単に本実施例は、本発明の開示を完全にし、通常の知識を有する者に発明の範疇を完全に知らせるために提供される。
【００１４】
本文書の様々な実施例は、機器（ｍａｃｈｉｎｅ）（例えば、コンピュータ）で読むことができる保存媒体（ｍａｃｈｉｎｅ−ｒｅａｄａｂｌｅ  ｓｔｏｒａｇｅ  ｍｅｄｉａ））に保存されたコマンドを含むソフトウェア（例えば、プログラム）で具現化されることができる。機器は、保存媒体から保存されたコマンドを呼び出し、呼び出されたコマンドによって動作が可能な装置であって、開示された実施例による電子装置（例えば、サーバ）を含むことができる。命令は、コンパイラー又はインタープリターにより生成又は実行されるコードを含むことができる。機器で読むことができる保存媒体は、非一時的（ｎｏｎ−ｔｒａｎｓｉｔｏｒｙ）保存媒体の形態で提供されることができる。ここで、「非一時的」は、保存媒体が信号（ｓｉｇｎａｌ）を含まず、実在（ｔａｎｇｉｂｌｅ）するということを意味するだけで、データが保存媒体に半永久的又は臨時的に保存されることを区分していない。
【００１５】
一実施例によれば、本文書に開示された様々な実施例による方法は、コンピュータプログラム製品（ｃｏｍｐｕｔｅｒ  ｐｒｏｇｒａｍ  ｐｒｏｄｕｃｔ）に含まれて提供されることができる。コンピュータプログラム製品は、商品として販売者及び購入者の間で取引されることができる。コンピュータプログラム製品は機器で読むことができる保存媒体（例えば、ｃｏｍｐａｃｔ  ｄｉｓｃ  ｒｅａｄ  ｏｎｌｙ  ｍｅｍｏｒｙ  （ＣＤ−ＲＯＭ））の形態で、又はアプリケーションストア（例えば、プレーストアＴＭ）を介してオンラインに配布されることができる。オンライン配布の場合、コンピュータプログラム製品の少なくとも一部は、メーカーのサーバ、アプリケーションストアのサーバ、又は中継サーバのメモリのような保存媒体に少なくとも一時保存されるか、又は臨時的に生成されることができる。
【００１６】
様々な実施例による構成要素（例えば、モジュール又はプログラム）それぞれは、単数又は複数の個体で構成され得、前述した該当サブ構成要素のうち一部のサブ構成要素が省略されるか、又は他のサブ構成要素が様々な実施例にさらに含まれ得る。代替的に又は追加的に、一部の構成要素（例えば、モジュール又はプログラム）は一つの個体と統合され、統合される以前のそれぞれの該当構成要素により行われる機能を同一又は類似して行うことができる。様々な実施例によるモジュール、プログラム又は他の構成要素により行われる動作は、順次、並列、繰り返し、又はヒューリスティクスに実行されるか、少なくとも一部の動作が異なる順序で実行されるか、省略されるか、又は他の動作が追加され得る。
【００１７】
また、本明細書で取引の対象を物品又は商品と指称しているが、これは必ずしも製造物を対象として限定されるわけではなく、求人求職サービス、税務サービス、法律サービスのような人的役務のサービスを対象にすることもあり、取引の対象となる目的物は、取引が行われ得るどんな対象にも拡張可能であるという点を予め明らかにしておく。
【００１８】
図１は、本発明の一実施例による福祉型ディスカウントモールシステムを示すブロック図である。
【００１９】
図１を参照すると、本発明による福祉型ディスカウントモールシステムは、供給者の供給商品を低価格（割引率が適用された価格、以下、割引価格と統一して記載）で顧客団体と顧客団体の構成員に供給するシステムであり得る。ここで、供給者と顧客団体は、複数の供給者及び複数の顧客団体を含む概念であり得る。例えば、供給者は、製造者、流通者、サービス提供者、コンテンツ提供者、宿泊業者等を含み得る。また、顧客団体は、企業、機関、市民団体、協会、同門会、同好会、及び宗教団体のいずれかであり得る。もちろん、供給者と顧客団体は、前記例に限定されず、供給商品を提供する場合と供給商品を消費する場合であれば、いずれも供給者と顧客団体になり得る。
【００２０】
一実施例で、供給者と顧客団体は、福祉型ディスカウントモールシステム１００のウェブサーバ１３０が提供するウェブページを介して会員加入をすることができる。供給者は、福祉型ディスカウントモールシステム１００を介して、本人の供給商品と割引率を登録することができ、顧客団体は、福祉型ディスカウントモールシステム１００が提供する福祉提供テンプレートを用いて、顧客団体の構成員に供給商品を割引価格で提供することができる。ここで、供給商品は、製造商品、コンテンツ、公演商品、宿泊商品、卸売商品、又は流通商品を含む概念である。ここで、割引率は最小１％から９９％であり得、このような割引率の範囲は、供給者が予め定めることができる。また、顧客団体の所得水準等を考慮して供給者が定めた割引率の範囲内で実際適用の割引率が決定できる。詳しい内容は、図４で後述する。
【００２１】
一実施例で、福祉提供テンプレートは、顧客団体が主催するイベントの内容、供給商品の詳細な情報、各顧客団体に適したデザイン等を含み得、顧客団体が主催するイベントの内容は、供給者の供給商品を割引価格で構成員に販売する企画展を含み得る。顧客団体に適したデザインは、顧客団体が直接登録するか、ＵＩサーバ１２０で生成することができる。
【００２２】
本発明の一実施例による福祉型ディスカウントモールシステム１００は、テンプレート生成サーバ１１０、ＵＩサーバ１２０、ウェブサーバ１３０、ＤＢサーバ１４０、発送サーバ１５０、及び決済管理サーバ１６０を含み得る。福祉型ディスカウントモールシステム１００は、複数のサーバを利用して供給者の電子装置２００から供給商品情報を受信することができ、顧客団体ウェブサーバ３００から顧客団体情報を受信することができる。福祉型ディスカウントモールシステム１００は、ネットワークを介して供給者の電子装置２００、顧客団体ウェブサーバ３００、顧客団体の構成員の電子装置４００と通信連結されることができる。ここで、ネットワークは、無線ネットワーク及び有線ネットワークを含み得る。例えば、前記ネットワークは、近距離通信ネットワーク（例えば、ブルートゥース（登録商標）、ＷｉＦｉ  ｄｉｒｅｃｔ又はＩｒＤＡ（ｉｎｆｒａｒｅｄ  ｄａｔａ  ａｓｓｏｃｉａｔｉｏｎ））又は遠距離通信ネットワーク（例えば、セルラーネットワーク、インターネット、又はコンピュータネットワーク（例えば、ＬＡＮ又はＷＡＮ））であり得る。
【００２３】
一実施例で、供給者と顧客団体は、全世界のどこに限定されず、事業を営為する主体であり得る。例えば、供給者の事業領域と顧客団体の位置は、全世界のいずれかであり得る。
【００２４】
一実施例で、テンプレート生成サーバ１１０、ＵＩサーバ１２０、ウェブサーバ１３０、ＤＢサーバ１４０、発送サーバ１５０、及び決済管理サーバ１６０は、互いに連動することができ、各サーバから獲得した情報は、ＤＢサーバ１４０に更新されることができる。例えば、供給者が供給商品の情報を登録し、顧客団体が福祉提供テンプレートを介してイベント（例えば、構成員のための特価企画展）を主催する場合、供給者と顧客団体間に１次契約が成立したものとみなし、以降、顧客団体の構成員が実際に割引価格で供給商品を購入する場合、２次契約が成立したものであって、全体の取引契約が完了したものとみなし得る。その際、顧客団体の構成員の購入代金から一定の手数料を除いた金額が供給者に伝達され得る。
【００２５】
一実施例で、テンプレート生成サーバ１１０は、福祉提供テンプレートを生成、保存、及び顧客団体に提供できる。ここで、福祉提供テンプレートは、顧客団体が主催するイベントの内容、供給商品の詳細な情報、各顧客団体に適したデザイン等を含み得、顧客団体が主催するイベントの内容は、供給者の供給商品を割引価格で構成員に販売する企画展を含み得る。従って、顧客団体は直接構成員にイベント（例えば、特価企画展）を知らせる必要がなく、本発明の福祉型ディスカウントモールシステム１００で自動で顧客団体及び顧客団体の構成員に福祉提供テンプレートを介してイベントを知らせることができる。また、福祉提供テンプレートは、イベントの主催者が顧客団体という内容で構成されるので、顧客団体の構成員は、イベントを介して購入できる供給商品が、供給者の供給する低価格（割引価格）商品であると認識できない。
【００２６】
一実施例で、テンプレート生成サーバ１１０は、供給商品情報と顧客団体情報を管理することができ、ＤＢサーバ１４０を更新することができる。また、テンプレート生成サーバ１１０は、供給商品情報、顧客団体情報、及び顧客団体の構成員の購入履歴等を分析し、新しい形態の情報に加工することができる。例えば、新しい形態の情報は、供給者の供給商品を頻繁に購入した顧客団体の構成員の履歴、供給商品に適した顧客団体おすすめリスト等を含むことができる。
【００２７】
一実施例で、テンプレート生成サーバ１１０は、供給者から供給商品情報の修正要請を受けているか、更なる供給商品の登録を受ける場合、これをリアルタイムでＤＢサーバ１４０に更新し、新しい福祉提供テンプレートを生成することができる。
【００２８】
例えば、供給商品情報は、供給商品の種類、元の価格、割引価格、配送料、供給者のメーカー名、供給者の国名と住所地、供給者の事業者情報等を含み得る。
【００２９】
例えば、顧客団体情報は、複数の顧客団体の名称、説明、種類、位置、構成員の人員数、性別、年齢、及び所得水準等を含み得る。
【００３０】
テンプレート生成サーバ１１０が福祉提供テンプレートを生成する具体的な説明は、図２乃至図６で詳細に後述する。
【００３１】
一実施例で、ＵＩサーバ１２０、ウェブサーバ１３０で提供するウェブページを構成する画面のメニュー、ボタン、テキスト、バナー等を生成及び保存し、ウェブサーバ１３０に提供できる。また、ＵＩサーバ１２０は、福祉提供テンプレートを生成することができるようにテンプレート生成サーバ１１０に多様なデザイン、言語等を提供することができる。例えば、供給者と顧客団体は全世界各地に存在し得るので、供給者の供給商品を顧客団体が購入することができるように顧客団体が位置している国で使用する言語、その国特有のデザイン、顧客団体が提供したＵＩ（例えば、企業の代表ロゴ）を含み得る。
【００３２】
一実施例で、ウェブサーバ１３０は、ウェブページを介して供給商品情報の入力を受信することができ、顧客団体から顧客団体情報の入力を受信することができる。また、これと異なり、ウェブサーバ１３０は、供給者の電子装置２００から供給商品情報を受信することができ、顧客団体ウェブサーバ３００から顧客団体情報を受信することができる。例えば、ウェブサーバ１３０が提供するウェブページは、供給者と顧客団体がオンライン上でアクセスすることができるウェブサイトであり得る。供給者は、ウェブページを介して供給商品情報を登録することができ、顧客団体は、ウェブページを介して顧客団体情報を登録することができる。例えば、ウェブサーバ１３０は、グローバル各地に存在する供給者と顧客団体に適した言語（例えば、供給者が事業する国の言語、又は顧客団体が位置している国の言語）、デザイン、ＵＩ等を用いてウェブページを構成することができる。
【００３３】
一実施例で、ＤＢサーバ１４０は、供給商品情報、顧客団体情報、及び顧客団体の構成員の購入履歴、供給商品に適した顧客団体おすすめリスト等をデータベース化して保存できる。例えば、ＤＢサーバ１４０は、供給商品情報をデータベース化して保存する供給商品管理サーバと、顧客団体情報をデータベース化して保存する顧客団体管理サーバとを含み得る。
【００３４】
一実施例で、発送サーバ１５０は、顧客団体ウェブサーバ３００又は顧客団体の構成員の電子装置４００に福祉提供テンプレートを送信することができる。例えば、発送サーバ１５０は、顧客団体ウェブサーバ３００が提供するウェブページに福祉提供テンプレートがお知らせとして登録されるように福祉提供テンプレートを顧客団体ウェブサーバ３００に送信できる。例えば、顧客団体ウェブサーバ３００が提供するウェブページは、顧客団体の構成員のみがアクセスすることができるオンライン閉鎖モールであり得る。例えば、発送サーバ１５０は、メッセージプログラム、メールプログラム、及び対話型プログラムの少なくとも１つを介して顧客団体の構成員の電子装置に福祉提供テンプレートを送信することができる。
【００３５】
一実施例で、決済管理サーバ１６０は、顧客団体の構成員の購入代金を保存及び管理し、一定の手数料を除いた清算金を供給者に提供し、購入履歴を管理することができる。
【００３６】
図２は、本発明の一実施例による福祉型ディスカウントモールシステムを説明するためのフローチャートである。
【００３７】
図２を参照すると、一実施例で、福祉型ディスカウントモールシステム１００は、動作２１において、供給者の供給商品情報と顧客団体の顧客団体情報を受信することができる。例えば、ウェブサーバ１３０は、ウェブページを介して供給者から供給商品情報の入力を受信し、顧客団体から顧客団体情報の入力を受信することができる。また、ウェブサーバ１３０は、供給者の電子装置２００から供給商品情報を受信し、顧客団体ウェブサーバ１３０から顧客団体情報を受信することができる。前記で言及したように、例えば、供給商品情報は、供給商品の種類、元の価格、割引価格、配送料、供給者のメーカー名、供給者の国名と住所地、供給者の事業者情報等を含み得る。例えば、顧客団体情報は、複数の顧客団体の名称、説明、種類、位置、構成員の人員数、性別、年齢、及び所得水準等を含み得る。
【００３８】
一実施例で、福祉型ディスカウントモールシステム１００は、動作２２において、供給商品情報及び顧客団体情報をデータベース化してＤＢサーバ１４０に保存することができる。例えば、ＤＢサーバ１４０は、ウェブサーバ１３０から供給商品情報と顧客団体情報を受信することができ、受信した供給商品情報と顧客団体情報を分析するためにデータベース化して保存できる。
【００３９】
一実施例で、福祉型ディスカウントモールシステム１００は、動作２３において、供給商品情報に含まれた供給商品と割引率を確認することができる。例えば、テンプレート生成サーバ１１０は、福祉提供テンプレートを生成するために供給商品と割引率を確認することができる。また、決済管理サーバ１６０は、決済代金や清算金等を管理するために、供給商品と割引率を確認することができる。ここで、割引率は、１％乃至９９％であり得る。また、割引率の範囲は、供給者が予め定めてウェブサーバ１３０に登録できる。さらに、テンプレート生成サーバ１１０は、顧客団体情報（例えば、顧客団体の構成員の所得水準）を考慮し、割引率を予め決定することができる。割引率を決定する方法に対する詳しい内容は図４で後述する。
【００４０】
一実施例で、福祉型ディスカウントモールシステム１００は、動作２４において、顧客団体情報で供給商品を供給する少なくとも１つの顧客団体を決定する。例えば、テンプレート生成サーバ１１０は、複数の顧客団体の名称、説明、種類、位置、構成員の人員数、性別、年齢、及び所得水準等を考慮し、供給商品を供給する少なくとも１つの顧客団体を決定することができる。例えば、供給商品がホテル宿泊券であり、数量が５０個である場合、テンプレート生成サーバ１１０は、数量を考慮して大企業の代わりに中小企業又は同門会等を顧客団体として決定できる。
【００４１】
また、一実施例で、テンプレート生成サーバ１１０は、優先順位を考慮して供給商品を供給する顧客団体を決定することができる。例えば、特定の供給商品に対して予め顧客団体から購入申請を受けることができ、優先順位は、前記購入申請の申請順位であり得る。即ち、テンプレート生成サーバ１１０は、特定の供給商品を先に申請した顧客団体に先に割り当てることができる。
【００４２】
また、一実施例で、テンプレート生成サーバ１１０は、ＤＢサーバ１４０に蓄積された複数の顧客団体と構成員の購入履歴に基づいて、供給商品を供給する顧客団体を決定することができる。例えば、ある顧客団体の構成員が特定の供給商品をよく購入したり、購入数量が大量である場合、テンプレート生成サーバ１１０は、前記特定の供給商品に対してよく購入した顧客団体又は購入数量が大量な顧客団体を優先的に供給商品を供給する顧客団体として決定できる。
【００４３】
勿論、前記例に限定されず、テンプレート生成サーバ１１０は、多様な方法と基準を考慮して供給商品を供給する顧客団体を決定することができる。
【００４４】
一実施例で、福祉型ディスカウントモールシステム１００は、動作２５において、供給商品、割引率、決定された少なくとも１つの顧客団体に関連する情報に基づいて、少なくとも１つの顧客団体の構成員が、供給商品を提供するイベントの主催者が少なくとも１つの顧客団体であると認識できるように福祉提供テンプレートを生成することができる。例えば、テンプレート生成サーバ１１０は、供給商品、割引率、顧客団体情報を考慮し、テキストやデザイン等で構成された福祉提供テンプレートを生成することができる。
【００４５】
一実施例で、テンプレート生成サーバ１１０は、供給商品を購入した複数の顧客団体の購入履歴に基づいて、複数の顧客団体に適したそれぞれの福祉提供テンプレートを生成することができる。
【００４６】
一実施例で、福祉提供テンプレートは、顧客団体が主催するイベントの内容、各顧客団体に適したデザイン等を含み得、顧客団体が主催するイベントの内容は、供給者の供給商品を割引価格で構成員に販売する企画展を含み得る。例えば、イベントの内容は、顧客団体が主催者として構成員の福祉のための季節企画展を主催する内容であり得、具体的に、大企業Ａで構成員のために春物を３０％の割引価格で供給する春のファッション企画展であり得、顧客団体の構成員は供給商品に該当する春物を提供する主体が供給者ではない顧客団体であると認識できる。従って、供給者は、本人のブランドの価値を保護すると共に、特定の購入者にのみ割引価格で供給商品を供給することができ、顧客団体は容易に構成員に福祉を提供することができる。
【００４７】
一実施例で、福祉型ディスカウントモールシステム１００は、動作２６において、生成した福祉提供テンプレートを顧客団体ウェブサーバ３００又は顧客団体の構成員の電子装置４００に送信できる。例えば、発送サーバ１４０は、テンプレート生成サーバ１１０から福祉提供テンプレートの提供を受けることができ、福祉提供テンプレートを顧客団体ウェブサーバ３００又は顧客団体の構成員の電子装置４００へ送信できる。例えば、発送サーバ１５０は、顧客団体ウェブサーバ３００が提供するウェブページに福祉提供テンプレートがお知らせとして登録されるように福祉提供テンプレートを顧客団体ウェブサーバ３００に送信できる。例えば、顧客団体ウェブサーバ３００が提供するウェブページは、顧客団体の構成員のみがアクセスできるオンライン閉鎖モールであり得る。例えば、発送サーバ１５０は、メッセージプログラム、メールプログラム、及び対話型プログラムの少なくとも１つを介して顧客団体の構成員の電子装置に福祉提供テンプレートを送信することができる。
【００４８】
一実施例で、福祉型ディスカウントモールシステム１００は、動作２７において、顧客団体又は顧客団体の構成員から購入代金の情報を受信する場合、供給者に清算金を提供することができる。例えば、決済管理サーバ１６０は、顧客団体又は顧客団体の構成員から購入代金の情報を受信する場合、清算金を演算することができ、計購入代金から一定の手数料を除いた清算金を供給者のウェブサーバ２００に送信できる。
【００４９】
図３は、本発明の一実施例による供給者に適した顧客団体リストを提供する方法を説明するためのフローチャートである。図３は、図２の動作２４を具体化して説明する一つの一実施例である。即ち、図２の動作２４は、図３の実施例に限定されないことは勿論であり、図２の動作２４は、図２に記載された通り多様な実施例で具現化されることができる。
【００５０】
図３を参照すると、一実施例で、福祉型ディスカウントモールシステム１００は、動作３１において、供給商品情報及び顧客団体情報に基づいて、供給者に適した顧客団体おすすめリストを生成することができる。例えば、テンプレート生成サーバ１１０は、供給商品、顧客団体の種類（例えば、大企業、中堅企業、中小企業、機関、ＮＧＯ、協会、同門会、同好会、宗教団体）、構成員の人員数、性別、年齢、所得水準、位置等を考慮し、顧客団体おすすめリストを生成することができる。例えば、供給商品が女性衣類の場合、テンプレート生成サーバ１１０は、女性の割合の高い顧客団体が含まれた顧客団体おすすめリストを生成することができる。
【００５１】
一実施例で、福祉型ディスカウントモールシステム１００は、動作３２において、ウェブページを介して顧客団体おすすめリストを供給者に提供できる。例えば、ウェブサーバ１３０は、テンプレート生成サーバ１１０から顧客団体おすすめリストを受信することができ、顧客団体おすすめリストをウェブページを介して表示することができる。
【００５２】
一実施例で、福祉型ディスカウントモールシステム１００は、動作３３において、ウェブページを介して顧客団体おすすめリストに含まれた少なくとも１つの顧客団体を選択する供給者の入力を受信することができる。例えば、ウェブサーバ１３０は、少なくとも１つの顧客団体を選択する供給者の入力を受信することができる。即ち、供給者は、本人の供給商品を供給する顧客団体を自分で決定することができる。
【００５３】
一実施例で、福祉型ディスカウントモールシステム１００は、動作３４において、供給者が選択した少なくとも１つの顧客団体を供給商品に適した少なくとも１つの顧客団体として決定することができる。例えば、テンプレート生成サーバ１１０は、福祉提供テンプレートを生成するために供給者が選択した顧客団体を、供給商品を供給する少なくとも１つの顧客団体として決定することができる。
【００５４】
一実施例で、福祉型ディスカウントモールシステム１００は動作３４を完了した後、図２にリターンして、図２の動作２５、２６、２７を順次行った後に終了することができる。
【００５５】
図４は、本発明の一実施例による構成員の所得水準にマッチングされる割引率を決定するためのフローチャートである。
【００５６】
図４を参照すると、一実施例で、福祉型ディスカウントモールシステム１００は、動作４１において、各所得水準に適した割引率を予め決定して割引率テーブルに保存することができる。例えば、テンプレート生成サーバ１１０は、所得水準にマッチングされる各割引率が決定された割引率テーブルを生成して保存できる。例えば、企業の構成員の平均年俸水準に応じて割引率を差をつけて適用することができる。平均年俸の高い顧客団体である場合、割引率を低く適用し、平均年俸の低い顧客団体である場合、割引率を高く適用することができる。ここで、割引率は最小１％から９９％であり得、このような割引率の範囲は、顧客団体の構成員の所得水準等を考慮し、前記割引率の範囲内で実際適用の割引率が決定できる。
【００５７】
一実施例で、福祉型ディスカウントモールシステム１００は、動作４２において、決定された少なくとも１つの顧客団体の構成員の所得水準を確認することができる。例えば、テンプレート生成サーバ１１０は、顧客団体情報に基づいて構成員の所得水準（例えば、顧客団体内の構成員の平均年俸）を確認することができる。
【００５８】
一実施例で、福祉型ディスカウントモールシステム１００は、動作４３において、割引率テーブルを用いて確認した所得水準にマッチングされる割引率を決定することができる。例えば、テンプレート生成サーバ１１０は、確認した所得水準が低い場合、マッチングされる高い割引率を決定することができる。
【００５９】
一実施例で、福祉型ディスカウントモールシステム１００は、動作４４において、決定された割引率に応じて演算された割引価格を福祉提供テンプレートに含むことができる。例えば、テンプレート生成サーバ１１０は、割引価格を福祉提供テンプレートに記載することができる。例えば、所得水準が低い場合、高い割引率が適用された割引価格が福祉提供テンプレートに記載されることができる。
【００６０】
図５は、本発明の一実施例による顧客団体の位置に基づく供給商品を供給する顧客団体を決定するためのフローチャートである。図５は、図２の動作２４を具体化して説明する一つの一実施例である。即ち、図２の動作２４は、図５の実施例に限定されないことは勿論であり、図２の動作２４は、図２に記載された通り様々な実施例で具現化されることができる。
【００６１】
図５を参照すると、一実施例で、福祉型ディスカウントモールシステム１００は、動作５１において、顧客団体情報に含まれた複数の顧客団体の位置を確認することができる。例えば、テンプレート生成サーバ１１０は、顧客団体が位置している国、具体的な地理的位置等を確認することができる。
【００６２】
一実施例で、福祉型ディスカウントモールシステム１００は、動作５２において、基準距離以内に隣接した顧客団体が存在するか確認できる。ここで、基準距離は多様な基準に応じて設定されることができ、例えば、テンプレート生成サーバ１１０は、顧客団体の地理的位置に基づいて互いに近く位置（例えば、１０ｋｍ）する顧客団体を確認することができる。また、例えば、テンプレート生成サーバは、韓国の全羅南道に位置している顧客団体は、互いに基準距離以内に隣接した顧客団体と判断できる。
【００６３】
一実施例で、もし、基準距離以内に隣接した顧客団体が存在する場合、福祉型ディスカウントモールシステム１００は、動作５３において、隣接した顧客団体のいずれかの顧客団体のみを供給商品を供給する顧客団体として決定できる。例えば、テンプレート生成サーバは、韓国の全羅南道に位置した顧客団体のいずれかの顧客団体のみを供給商品を供給する顧客団体として決定できる。このように動作する場合、供給者は自社のブランド価値が低くなることを予め防止できる。また、福祉型ディスカウントモールシステム１００は、その後、図２にリターンして、図２の動作２５、２６、２７を順次行った後に終了できる。
【００６４】
一実施例で、反面、基準距離以内に隣接した顧客団体が存在しない場合、福祉型ディスカウントモールシステム１００はすぐに図２にリターンして、図２の動作２５、２６、２７を順次行った後に終了できる。
【００６５】
図６は、本発明の一実施例による構成員の一部が互いに重複する顧客団体のいずれかの顧客団体を選択するためのフローチャートである。図６は、図２の動作２４を具体化して説明する一つの一実施例である。即ち、図２の動作２４は、図６の実施例に限定されないことは勿論であり、図２の動作２４は、図２に記載された通り様々な実施例で具現化されることができる。
【００６６】
図６を参照すると、一実施例で、福祉型ディスカウントモールシステム１００は、動作６１において、顧客団体情報に含まれた複数の顧客団体にそれぞれ属する構成員を確認することができる。例えば、テンプレート生成サーバ１００は、中堅企業Ａと協会Ｂの構成員を確認することができる。
【００６７】
一実施例で、福祉型ディスカウントモールシステム１００は、動作６２において、構成員の少なくとも一部が互いに重複する顧客団体が存在するか確認できる。例えば、テンプレート生成サーバ１００は、中堅企業Ａと協会Ｂの構成員が少なくとも一部が重複するか確認できる。
【００６８】
一実施例で、もし構成員の少なくとも一部が互いに重複する顧客団体が存在する場合、福祉型ディスカウントモールシステム１００は、動作６３において、重複する顧客団体のいずれかの顧客団体のみを供給商品を供給する顧客団体として決定できる。例えば、テンプレート生成サーバ１００は、協会Ｂが中堅企業関連の協会であるため、中堅企業Ａの大半の構成員が協会Ｂに加入している場合、協会Ｂを供給商品を供給する顧客団体として決定できる。一方、福祉型ディスカウントモールシステム１００は動作６３を完了した後、図２にリターンして、図２の動作２５、２６、２７を順次行った後に終了できる。
【００６９】
一実施例で、反面、構成員の少なくとも一部が互いに重複する顧客団体が存在しない場合、福祉型ディスカウントモールシステム１００はすぐに図２にリターンして、図２の動作２５、２６、２７を順次行った後に終了できる。
【００７０】
本発明の様々な実施例によれば、福祉型ディスカウントモールシステムは、供給者の供給商品情報と顧客団体の顧客団体情報を受信するウェブサーバと、前記供給商品情報及び前記顧客団体情報を保存するＤＢサーバと、福祉提供テンプレートを生成するテンプレート生成サーバとを含み、前記テンプレート生成サーバは、前記供給商品情報に含まれた供給商品と割引率を確認し、前記顧客団体情報で前記供給商品を供給する少なくとも１つの顧客団体を決定し、及び前記供給商品、前記割引率、並びに前記決定された少なくとも１つの顧客団体に関連する情報に基づいて、前記少なくとも１つの顧客団体の構成員が、前記供給商品を提供するイベントの主催者が前記少なくとも１つの顧客団体であると認識できるように、前記福祉提供テンプレートを生成することができる。
【００７１】
様々な実施例によれば、前記ウェブサーバはウェブページを介して供給者から供給商品情報の入力を受信し、顧客団体から顧客団体情報の入力を受信することができる。
【００７２】
様々な実施例によれば、前記ウェブサーバは、供給者の電子装置から供給商品情報を受信し、顧客団体ウェブサーバから顧客団体情報を受信することができる。
【００７３】
様々な実施例によれば、前記福祉型ディスカウントモールシステムは、発送サーバを更に含み、前記発送サーバは、前記顧客団体ウェブサーバ又は前記顧客団体の構成員の電子装置に前記福祉提供テンプレートを送信することができる。
【００７４】
様々な実施例によれば、前記発送サーバは、前記顧客団体ウェブサーバが提供するウェブページに前記福祉提供テンプレートがお知らせとして登録されるように、前記福祉提供テンプレートを前記顧客団体ウェブサーバに送信することができる。
【００７５】
様々な実施例によれば、前記顧客団体ウェブサーバが提供するウェブページは、前記顧客団体の構成員のみがアクセスできるオンライン閉鎖モールであり得る。
【００７６】
様々な実施例によれば、前記発送サーバは、メッセージプログラム、メールプログラム、及び対話型プログラムの少なくとも１つを介して、前記顧客団体の構成員の電子装置に前記福祉提供テンプレートを送信することができる。
【００７７】
様々な実施例によれば、前記供給者は、製造者、流通者、サービス提供者、コンテンツ提供者、宿泊業者を含み得る。
【００７８】
様々な実施例によれば、前記顧客団体は、企業、機関、市民団体、協会、同門会、同好会、及び宗教団体のいずれかであり得る。
【００７９】
様々な実施例によれば、前記供給商品情報は、供給商品の種類、元の価格、割引価格、配送料、供給者のメーカー名、供給者の国名や住所地、供給者の事業者情報の少なくとも１つを含み得る。
【００８０】
様々な実施例によれば、前記顧客団体情報は、福祉型ディスカウントモールシステムに登録された複数の顧客団体の名称、説明、種類、位置、構成員の人員数、性別、年齢、及び所得水準を含み得る。
【００８１】
様々な実施例によれば、前記福祉型ディスカウントモールシステムは決済管理サーバを更に含み、前記決済管理サーバは、前記顧客団体又は前記顧客団体の構成員から購入代金の情報を受信する場合、清算金を演算し、前記演算した清算金を前記供給者のウェブサーバに送信することができる。
【００８２】
様々な実施例によれば、前記ＤＢサーバは、供給商品管理サーバ及び顧客団体管理サーバを含み得る。
【００８３】
様々な実施例によれば、前記テンプレート生成サーバは、顧客団体の種類、構成員の人員数、性別、年齢、所得水準、及び位置に基づき、前記供給商品を供給する少なくとも１つの顧客団体を決定することができる。
【００８４】
様々な実施例によれば、前記テンプレート生成サーバは、前記ＤＢサーバに蓄積された複数の顧客団体と構成員の購入履歴に基づいて、前記供給商品を供給する少なくとも１つの顧客団体を決定することができる。
【００８５】
様々な実施例によれば、前記テンプレート生成サーバは、前記福祉提供テンプレートを介して、前記供給商品を購入した複数のユーザーの購入履歴をデータベース化して前記ＤＢサーバに保存し、前記購入履歴に基づいて前記複数の顧客団体に適したそれぞれの福祉提供テンプレートを生成することができる。
【００８６】
様々な実施例によれば、前記テンプレート生成サーバは、前記供給商品情報及び前記顧客団体情報に基づいて、前記供給者に適した顧客団体リストを生成し、前記ウェブページを介して前記顧客団体リストを前記供給者に提供し、及び前記ウェブページを介して前記顧客団体リストに含まれた少なくとも１つの顧客団体を選択する供給者の入力を受信する場合、前記供給者が選択した少なくとも１つの顧客団体を前記供給商品に適した少なくとも１つの顧客団体として決定できる。
【００８７】
様々な実施例によれば、前記テンプレート生成サーバは、各所得水準に適した割引率を予め決定して割引率テーブルに保存し、前記決定された少なくとも１つの顧客団体の構成員の所得水準を確認し、前記割引率テーブルを用いて前記確認した所得水準にマッチングされる割引率を決定し、前記決定された割引率に応じて演算された供給商品の価格を前記福祉提供テンプレートに含ませることができる。
【００８８】
様々な実施例によれば、前記テンプレート生成サーバは、前記顧客団体情報に含まれた複数の顧客団体の位置を確認し、基準距離以内に隣接した顧客団体が存在する場合、前記隣接した顧客団体のいずれかの顧客団体のみを前記供給商品を供給する顧客団体として決定できる。
【００８９】
様々な実施例によれば、前記テンプレート生成サーバは、前記顧客団体情報に含まれた複数の顧客団体にそれぞれ属する構成員を確認し、構成員の少なくとも一部が互いに重複する顧客団体が存在する場合、前記重複する顧客団体のいずれかの顧客団体のみを前記供給商品を供給する顧客団体として決定できる。
【００９０】
本発明の様々な実施例によれば、供給商品情報と顧客団体情報を受信するウェブサーバと、前記供給商品情報及び前記顧客団体情報を保存するＤＢサーバと、福祉提供テンプレートを生成するテンプレート生成サーバとを含む福祉型ディスカウントモールの運営方法は、前記供給商品情報に含まれた供給商品と割引率を確認するステップと、前記顧客団体情報で前記供給商品を供給する少なくとも１つの顧客団体を決定するステップと、前記供給商品、前記割引率、及び前記決定された少なくとも１つの顧客団体に関連する情報に基づいて、前記少なくとも１つの顧客団体の構成員が前記供給商品を提供するイベントの主催者が前記少なくとも１つの顧客団体であると認識できるように、前記福祉提供テンプレートを生成するステップとを含むことができる。
【００９１】
以上、本発明が具体的な構成要素等のような特定事項と限定された実施例及び図面により説明されているが、これは、本発明のより全般的な理解を助けるために提供されたものであるだけで、本発明が前記実施例に限定されるものではなく、本発明が属する技術分野で通常の知識を有する者であれば、このような記載から多様な修正及び変形を図ることができる。
【００９２】
従って、本発明の思想は、前記説明された実施例に限られて定められてはならず、後述する請求範囲だけでなく、この請求範囲と均等に又は等価的に変形された全てのものは、本発明の思想の範疇に属するといえる。
【産業上の利用可能性】
【００９３】
本発明は、福祉型ディスカウントモールシステム及びその運営方法に関し、企業が割引価格で供給商品を提供するという事実を一般公衆に知られなくてもよいので、企業のブランド価値を保護することができ、顧客団体の構成員は他の一般需要者と異なり、割引価格で供給商品を提供されることができるので、構成員の福祉が向上することができ、電子商取引等の分野に活用されることができる。
【符号の説明】
【００９４】
１００  福祉型ディスカウントモールシステム
１１０  テンプレート生成サーバ                 
１２０  ＵＩサーバ
１３０  ウェブサーバ      
１４０  ＤＢサーバ
１５０  発送サーバ
１６０  決済管理サーバ
２００  供給者の電子装置
３００  顧客団体ウェブサーバ
４００  顧客団体の構成員の電子装置
【図１】
2021523453.tif 000003
【図２】
2021523453.tif 000004
【図３】
2021523453.tif 000005
【図４】
2021523453.tif 000006
【図５】
2021523453.tif 000007
【図６】
2021523453.tif 000008
【国際調査報告】
2021523453.tif 000009
2021523453.tif 000010
2021523453.tif 000011
2021523453.tif 000012